Podtech/llm-jp-corpus-v4-ja_patent huggingface dataset:
(57)【要約】【課題】本発明は、上着の一番汚れやすく、また、洗濯では落ちずらい襟首の汚れを防止する交換襟である。さまざまな形状の襟に着脱可能な交換襟を提供する。【手段】日常用いられているワイシャツの襟形状体、及びカラー、及び前面第二ボタンまでの開閉保持帯を設ける。さらに、カラーと開閉保持帯に上着との固定具を設ける。【選択図】図２
2007070783.tif 000002
【特許請求の範囲】
【請求項１】
日常用いられているワイシャツの襟形状体、及びカラー、及び前面に開閉保持帯を設け、カラーと開閉保持帯に上着との固定具を保持した、着脱式交換襟である。
【発明の詳細な説明】
【技術分野】
【０００１】  本発明は、上着の襟に取り付けることで、上着の襟首周りの汚れを防止する着脱式交換襟に関するものである。
【背景技術】
【０００２】  従来、異なった形状の襟に順応する襟首の汚れ防止手段がなく、一時的にハンカチやタオルを襟首に巻く措置をしていた。
【発明の開示】
【発明が解決しようとする課題】
【０００３】  （イ）上着の襟首は常に肌と擦れ合っている状態であり、特に屋外にいると汗や肌の脂に塵が付き襟首は汚れやすく、その汚れを落とすために頻繁に洗濯を行う必要があり、経済的且つ家事の負担が多く、上着の生地を傷める原因にもなっていた。
（ロ）開襟やワイシャツ、スタンドカラーのような異なった襟形状に順応する襟首の汚れ防止手段がなく、ハンカチやタオルなどを一時的に襟首に巻くことにより、風がある時や屈んでの動作時はハンカチやタオルの端が視界を遮ることがあり、危険要因を含んでいた。
（ハ）ハンカチやタオルを襟首に巻くと上着の持つ外観を著しく損ねる。
本発明は、以上のような欠点を解決するためになされたものである。
【課題を解決するための手段】
【０００４】  日常用いられているワイシャツの襟形状体（１）、及びカラー（２）、及び前面第二ボタンまでの開閉保持帯（３）を設ける。さらに、カラー（２）と開閉保持帯（３）に上着との固定具を設ける。
本発明は、以上の構造からなる着脱式交換襟である。
【発明の効果】
【０００５】  本発明は、背面表示部を保持するさまざまな襟形状の上着に着脱することができるので、上着の洗濯頻度が少なくなり、生地を痛めることが減少し、経済的、且つ、家事の負担が少なくなります。しかも、安全であり、上着に合った色を使用することで、上着の外観をいっそう引き立てます。
【発明を実施するための最良の形態】
【０００６】  以下、本発明の実施の形態を説明する。
（イ）日常用いられているワイシャツの襟より大きくした襟形状体（１）、及び、カラー（２）、及び、前面第二ボタンまでの開閉保持帯（３）を設ける。
（ロ）カラー（２）の背面中央下に面ファスナーを端部に取り付けた背面固定具（４）を設ける。
（ハ）開閉保持帯（３）の第二ボタンに前面固定具（５）を設ける。
本発明は、以上の構造になっている。
本発明を使用するときは、対象着の襟（６）に襟形状体（１）を被覆し、背面固定具（４）で対象着の背面表示部（７）に固定する。
また、開襟形状の上着には前面固定具（５）により、ボタンやファスナー（８）に固定する。
【図面の簡単な説明】
【０００７】
【図１】本発明の展開図
【図２】本発明の正面図
【図３】本発明の使用図
【図４】本発明の背面固定具拡大の正面図
【図５】本発明の前面固定具拡大の正面図
【符号の説明】
【０００８】  （１）襟形状体、（２）カラー、（３）開閉保持帯、（４）背面固定具、（５）前面固定具、（６）対象着の襟、（７）背面表示部、（８）ファスナー
【図１】
2007070783.tif 000003
【図２】
2007070783.tif 000004
【図３】
2007070783.tif 000005
【図４】
2007070783.tif 000006
【図５】
2007070783.tif 000007
(57)【要約】【課題】  スポーツ時や激しい運動時に身体の動きを阻害したり邪魔にならず、夏場などの湿気や蒸れによる不快感を軽減させるよう陰茎を適切に配置することにより、従来の男性用パンツより機能性、装着感、衛生面に優れたものとする。【解決手段】  男性用パンツの前部排尿用窓部布地１を前面とし、その内側に設置された腹部側布地２を後面とする、その間の空間に上下縦方向に形成された陰茎収納用ポケット部５を有することを特徴とする男性用パンツを発明した。腹部側布地上方縁２１はウエストゴム下縁部３で縫製により固着され、両サイド２２は陰茎を収納した際に、ほぼ中央で上向きに保持・固定される所定の幅４で排尿用窓部布地両サイド１１に縫製により固着される。下方縁は陰茎の出入口８として開口している。【選択図】  図１
2007070785.tif 000002
【特許請求の範囲】
【請求項１】
男性用パンツの前部排尿用窓部布地を前面とし、その内側に設置された腹部側布地を後面とする、その間の空間に上下縦方向に形成された陰茎収納用ポケット部を有することを特徴とする男性用パンツ。腹部側布地上方縁はウエストゴム下縁部で縫製により固着され、腹部側布地両サイドは陰茎を収納した際に、ほぼ中央で上向きに保持・固定される所定の幅で、排尿用窓部布地両サイドに縫製により固着される。この幅が陰茎収納用ポケット部の幅であり、排尿用窓部の幅となる。腹部側布地下方縁は陰茎の出入口として開口しており、股下部より所定の長さ上部の位置に配設される。
【発明の詳細な説明】
【技術分野】
【０００１】    本発明は、機能性、着用感、衛生面に優れた男性用パンツに関する。
【技術背景】
【０００２】  従来の男性用パンツは、陰茎と陰嚢がパンツ内で密着しやすく、位置も定まらないため、スポーツ時や激しい運動時に身体の動きを阻害したり邪魔に感じたり、また、夏場や暑い日などに湿気や蒸れにより不快感を感じてしまう。これらを改善するためには陰茎と陰嚢を分離させるとともに、陰茎と腹部をも接触させないようにするため、陰茎をポケット部に収納し、所定の位置で上向き状態のまま保持・固定させるしか方法はない。このような発想は従来の男性用パンツには無かったものである。
【発明の開示】
【発明が解決しようとする課題】
【０００３】  スポーツ時や激しい運動時に身体の動きを阻害したり邪魔にならず、夏場などの湿気や蒸れによる不快感を軽減させるよう陰茎を適切に配置し、従来の男性用パンツより機能性、装着感、衛生面に優れたものとする。
【発明を解決するための手段】
【０００４】  上記課題を解決するため、男性用パンツの前部排尿用窓部布地を前面とし、その内側に設置された腹部側布地を後面とする、その間の空間に上下縦方向に形成された陰茎収納用ポケット部を有することを特徴とする男性用パンツを発明した。腹部側布地上方縁はウエストゴム下縁部で縫製により固着され、腹部側布地両サイドは陰茎を収納した際に、ほぼ中央で上向きに保持・固定される所定の幅で排尿用窓部布地両サイドに縫製により固着される。腹部側布地両サイドと排尿用窓部布地両サイドは一致し、この幅が陰茎収納用ポケット部の幅であり、排尿用窓部の幅となる。腹部側布地下方縁は陰茎の出入口として開口しており、股下部より所定の長さ上部の位置に配設される。
【０００５】  非着用時においてはその陰茎収納用ポケット部は閉じて密着していてもよく、着用時に陰茎収納用の空間が形成されればよい。
【発明の効果】
【０００６】  陰茎が常に上向き状態で、ほぼ中央に保持・固定されるため、スポーツ時や激しい運動時に身体の動きを阻害したり邪魔にならず、また陰茎と陰嚢を分離させるとともに、陰茎と腹部も仕切られるため、夏場や暑い日などに局部の湿気や蒸れを軽減するなど、機能性、装着感、衛生面に優れたものとすることができる。
【発明を実施するための最良の形態】
【０００７】  本発明では収納用ポケット部に陰茎を収納した際に、上向き状態のままほぼ中央に保持・固定するため、陰茎を身体側に押さえつけるような適当な力を必要とする。そのため本発明における男性用パンツでは、トランクスのようなゆったりしたものではなく、ボクサータイプパンツやブリーフなどのような身体にフィットしたものでなければならない。また布地素材としてはできるだけ伸縮性に富み、薄手のものが望ましい。【０００８】  通常、男性用パンツ前面のほぼ中央に位置する排尿用窓部は、ボタンがあるものと、そうでないものとがあり、本発明における男性用パンツでは両者どちらでもよいが、陰茎を身体側に押さえつけるような適当な力を必要とするというその構造上、排尿用窓部左右二枚の布地が適度な幅をもって重なり、より身体にフィットしやすい後者の方が望ましい。【０００９】  図１は本発明における男性用パンツの着用前の状態を示す斜視図である。前面の排尿用窓部布地１の内側に腹部側布地２を、その上方縁２１はウエストゴム下縁部３で縫製により固着され、両サイド２２は陰茎を収納した際に上向きで保持・固定される所定の幅４で、縫製により排尿用窓部布地両サイド１１に固着される。つまり腹部側布地両サイド２２と排尿用窓部布地両サイド１１は一致し、この幅が陰茎収納用ポケット部４の幅となる。下方縁２３は陰茎の出入口として開口しており、陰茎の形に沿った形態となっている。【００１０】  図２は本発明における男性用パンツの着用後の状態を示す斜視図である。陰茎収納用ポケット部５に陰茎がほぼ中央で上向きに保持・固定されている状態を示す。このことによりスポーツ時や激しい運動時に身体の動きを阻害したり邪魔にならず機能性、装着感に優れていることが分かる。【００１１】  図３−ａは図１のＡ−Ｂ縦断面図で、着用前の状態を示す。排尿用窓部布地１の内側に腹部側布地２を、その上方縁２１はウエストゴム下縁部３で縫製により固着し、下方縁２３は陰茎の出入口として開口しており、股下部６より所定の長さ７上部の位置に配設されるようにする。この排尿用窓部布地１と腹部側布地２の間に上下縦方向に形成された空間が陰茎収納ポケット部５となる。非着用時においてはその陰茎収納用ポケット部５は閉じて密着しており、着用時に陰茎収納用の空間が形成されればよい。【００１２】  図３−ｂは図１のＡ−Ｂ縦断面図で、着用後の状態を示す。股下部６から陰茎の出入口８を経由し、排尿用窓部布地１を押し広げ、陰茎収納用ポケット部５に陰茎が収納された状態を示す。このことによりまた陰茎と陰嚢を分離させるとともに、陰茎と腹部も仕切られるため、夏場や暑い日などに局部の湿気や蒸れを軽減する効果があることが分かる。
【図面の簡単な説明】
【図１】男性用パンツの着用前の状態を示す斜視図である。
【図２】男性用パンツの着用後の状態を示す斜視図である。
【図３−ａ】図１のＡ−Ｂ縦断面図で、着用前の状態を示す。
【図３−ｂ】図１のＡ−Ｂ縦断面図で、着用後の状態を示す。
【符号の説明】
１  排尿用窓部布地
１１  排尿用窓部布地両サイド
２  腹部側布地
２１  腹部側布地上方縁
２２  腹部側布地両サイド
２３  腹部側布地下方縁
３  ウエストゴム下縁
４  所定の幅
５  陰茎収納用ポケット部
６  股下部
７  所定の長さ
８  陰茎の出入口
【図１】
2007070785.tif 000003
【図２】
2007070785.tif 000004
【図３−ａ】
2007070785.tif 000005
【図３−ｂ】
2007070785.tif 000006
(57)【要約】【課題】  太陽のオゾン層の破壊が進み皮膚ガンや白内障の心配が多くなり、何らかの防備なしでは、外出できなくなり、又はシミ、ソバカス、ホクロ等、とりのぞくサプリメント、美容品、美容器具が多い中、予防対策としても直接防備できる、おしゃれな頭部装身用紫外線防止具を提供する。【解決手段】  上部に装着するための固定手段を備え、頭部左右より顔の両側面及び鼻下から首周りまでを覆うことができるように形成された紫外線防止素材からなる側面カバーと首の後部を覆うことができるように形成された脱着自在な後部カバーとなることを特徴とする頭部装身具用紫外線防止具。【選択図】    図１
2007070786.tif 000002
【特許請求の範囲】
【請求項１】
上部に装着するための固定手段を備え、頭部左右より顔の両側面及び鼻下から首周りまでを覆うことができるように形成された紫外線防止素材からなる側面カバーと首の後部を覆うことができるように形成された脱着自在な後部カバーとなることを特徴とする頭部装身具用紫外線防止具。
【発明の詳細な説明】
【技術分野】
【０００１】  本発明は、顔の側面及び首周りの紫外線を防止するため、雄面ファスナーを頭部中央より左右に装着して使用する脱着自在の頭部装身具用紫外線防止具に関するものである。
【背景技術】
【０００２】  従来、紫外線防止品は、顔の両側とアゴと首周りを防止するために、帽子とサンバイザーが一体型となって顔全体を包み込み、防災ずきんのようであった。
【発明の開示】
【発明が解決しようとする課題】
【０００３】  そのために、次のような問題点があった。
防災ずきんのようであるから風通しが悪く、蒸れて暑く美的要素も無く、着用が恥ずかしいものであった。
本発明は以上の問題を解決しようとするものである。
【課題を解決するための手段】
【０００４】  上部に頭部の髪に装着するための固定手段を備え、顔の両側面および鼻下からなる側面カバーと、首の後部を覆うことができるように形成された脱着自在な後部カバーとなる。
以上の構成よりなる頭部装身具用紫外線帽子具。
【発明の効果】
【０００５】  本発明は、雄面ファスナー雄を頭部の髪に密着するよう装着し、顔の両側と首周りを下からの照り返しによる紫外線を防ぎ、その上に必要に応じて帽子、サンバイザー、ヘルメット等、着用できる。
また、風通しも良く涼しく、防寒にもなり美的要素もある。４０グラムと軽量で折りたたんで持ち運びできる。
【発明を実地するための最良の形態】
【０００６】  以下、本発明の実地の形態を説明する。
（イ）側面カバー（１）は雄面ファスナー（２）を裏面に装着したバンド（７）の両端に縫い付け顔の両側面および鼻下から首廻りまでを覆うことができるように形成された紫外線防止素材からなる側面カバーである。
（ロ）側面カバー（１）の前に、鼻下と口下に顔前部を開口するための着脱自在なホック（３ａ）、（３ｂ）を付け後側面に顔に添うためにダーツ（４ａ）、（４ｂ）を形成する。
（ハ）側面カバー（１）の後側面にホック（５ａ）、（５ｂ）、（５ｃ）、（５ｄ）を設け、首の後部を覆うための紫外線防止素材からなるシャーリングを施した後部カバー（６）を着脱自在に設ける。
本発明は、以上の構成よりなっている。
本発明を使用するときは、防止必要に応じて側面カバー  （１）の前部分ホック（３ａ）、（３ｂ）を鼻の下、または、口の下で止める。
後部カバー（６）の場合も使用目的により、ホック（５ａ）、（５ｂ）、（５ｃ）、（５ｄ）より脱着できる。
【図面の簡単な説明】
【０００７】
【図１】    本発明の使用状態を示した正面図である。
【図２】    本発明の装着前の斜視図である。
【図３】    本発明の使用状態を示した背面図である。
【符号の説明】
【０００８】    １      側面カバー
２      雄面ファスナー
３ａ    ホック
３ｂ    ホック
４ａ    ダーツ
４ｂ    ダーツ
５ａ    ホック
５ｂ    ホック
５ｃ    ホック
５ｄ    ホック
６      後部カバー
７      バンド
【図１】
2007070786.tif 000003
【図２】
2007070786.tif 000004
【図３】
2007070786.tif 000005
(57)【要約】      （修正有）【課題】肌触りが良く、色も豊富で形も良く、繰り返し使えファッション性の高いパットを提供する。【解決手段】接着の方法を取らず、どこでも入手可能なスナップを、３箇所で固定することで、定着させる。袖下を中心として、人体の造形理論に合わせカーブをつくり、特に汗が出る、前身頃脇袖下を中心に、袖側にも布が来るように製図をし、裏地を使用することで、肌触りも良く、色の違和感も無く、衣服との一体感を感じることができる。【選択図】図２
2007070777.tif 000002
【特許請求の範囲】
【請求項１】
人体のアームホールの形状に合わせて、汗などの汚れから衣類を保護。
美しさを目的とし、裏地を使用することであらゆる洋服の色に対応することが可能となり、着用の面においても容易に取り外すことができ、洗濯も可能なため、清潔で繰り返し使えることが出来る便利なジャケット用ドレス袖下パット。
【請求項２】
請求項１と目的を同じくした、ノースリーブ型。
【発明の詳細な説明】
【技術分野】
【０００１】  本発明は、衣類の保護とおしゃれを目的とした優れた袖下パット。
【背景技術】
【０００２】  従来の汗とりパットは、紙製で出来ており接着型のものである。【０００３】  色に関しても、白と黒である。
【特許文献１】  小林製薬株式会社あせワキパット
【発明の開示】
【発明が解決しようとする課題】
【０００４】  以上に述べた従来の汗とりパットでは、接着によるため布地を傷め、使い捨てのため、繰り返し使用することが出来ない。色においても、いろいろな色が無い。【０００５】  本発明は、このような従来の有していた問題を解決しようとするものであり、肌触りが良く、色も豊富で形も良く、繰り返し使えファッション性の高さを目的としたパットである。
【課題を解決するための手段】
【０００６】  そして、本発明は上記目的を達成するために接着の方法を取らず、どこでも入手可能なスナップを、３箇所で固定することで、定着させるものである。【０００７】  また、形状においても、衣服製作に係わる経験から、人体のアームホールの形に合わせ、動きやすく、美しく、保護を目的とした身ごろから袖内部まで覆う形に至った。【０００８】  色においても、裏地を使用することで、軽く、肌触りが良く、あらゆる色の衣類に対応が可能となるものである。【０００９】  清潔面においても、洗濯可能となり、見た目も美しい。
片面に芯地を入れることにより、型くずれをしない工夫もできた。
【図面の簡単な説明】
【００１０】
【図１】本発明の実施形態を示すジャケット用ドレス袖下パットの表面図
【図２】同ジャケット用ドレス袖下パットの裏面図
【図３】同ジャケット用ドレス袖下パットの図２におけるａ−ａ線断面図
【図４】本発明の実施形態を示すノースリーブ用ドレス袖下パットの表面図
【図５】同ノースリーブ用ドレス袖下パットの裏面図
【符号の説明】
【００１１】１    織りネーム
２    ステッチ
３ａ    スナップ
３ｂ    中側にスナップ
４    中縫い割り
５    裏地
６    芯地
７    中縫い
【図１】
2007070777.tif 000003
【図２】
2007070777.tif 000004
【図３】
2007070777.tif 000005
【図４】
2007070777.tif 000006
【図５】
2007070777.tif 000007
(57)【要約】【課題】本発明は、ドライヤーを使用して髪の毛を乾かす時に使用する手袋である。通常は、素手で行う場合が多いが自分や他人などの髪を乾かす時間が長くなると、手の甲が熱くなる。ネイルケアした爪で髪の毛を乾かす時と、剥がれやすく頭皮に傷つける事もある。本発明を使用する事により手の甲が熱くならないで、早く乾かす事ができる。ネイルケアした爪を保護して爪による頭皮を傷つける事もなくなる。そして、髪を早く乾かす。【手段】掌部分に吸収性のある布（１）、手の甲部分に熱に強い布（２）を使用した手袋にする。手袋の形状は、掌と手の甲部分が入れ替わることなく両手にはめる事が出来る形（４）で、手首にはゴム（３）を入れ指先は長めにする。【選択図】  図１
2007070776.tif 000002
【特許請求の範囲】
【請求項１】
（イ）  掌部分に吸収性のある布（１）手の甲部分に熱に強い布（２）を用いた手袋。
（ロ）  左右のどちらの手でも（１）、（２）の面が変わらず使用出来る形状（４）で、抜けないように手首にゴム（３）を入れる。
【発明の詳細な説明】
【発明の詳細な説明】
【技術分野】
【０００１】  この発明は、ドライヤーで髪を乾かす際に、手の甲ネイルケアをしている爪をドライヤーの熱から護り、さらに吸収性のある布により、髪を乾かす時間を短縮するものである。
【背景技術】
【０００２】従来、髪をドライヤーで乾かす際、素手の人がほとんどである。
【発明が解決しようとする課題】
【０００３】  自分や他人の髪をドライヤーで乾かす時、次のような問題があった。子供の髪を続けて乾かす時や福祉施設などでは、多数の髪の毛を乾かすので手の甲が、かなり熱くなる。素手では、時間もかかる。
マニキュアでネイルケアした爪で髪を乾かす時、はがれやすくなる。
また、地肌にあたって痛い事もある。
本発明は、これらの問題点を解決する為になされたものである。
【課題を解決する手段】
【０００４】  手を入れられる手袋状にし、手の甲には熱に強い布を使用する。掌には、吸収性のある布を使用する。掌と手の甲部分が変わらないで、両手で使用出来る手袋の形状にする。
【発明を実施するための最良の形態】
【０００５】  手の甲部分には、熱に強い布使用し、手の平部分には、吸収性がある布を使用した手袋状にする。手の甲と掌部分の位置が変わらないで、両手に使用出来る手袋の形にする。手を動かしても抜け落ちないように手首には、ゴムを入れる。つけ爪や長い爪、手が大きい人でも手袋をはめられるように指先部分を長くする。
本発明は、以上の構成よりなる。
本発明を使用する場合は、髪の毛を乾かす時に片手に本発明の手袋をはめ反対の手にドライヤーを持ち、髪の毛を手でとかすようにして乾かす。
【発明の効果】
【０００６】  本発明を使用する毎にドライヤーの熱から手を保護でき、髪の毛を早く乾かすことができる。ネイルケアした爪がドライヤーを使用しても剥がれにくくなり、頭皮の痛みも解消される。
【図面の簡単な説明】
【図１】本発明の斜視図
【図２】本発明」の正面図
【図３】本発明の断面図
【符号の説明】
（１）吸収性のある布  （２）熱に強い布  （３）ゴム  （４）形
【図１】
2007070776.tif 000003
【図２】
2007070776.tif 000004
【図３】
2007070776.tif 000005
(57)【要約】【課題】  フラワーデザインに使用する花材として、生花に近いプリザーブドフラワーのポピーは販売されておらず、生花に近いプリザーブドフラワーのポピーが求められている。【解決手段】プリザーブドフラワーのローズの花びらとワイヤーの組合せにより、違う種類の花ポピーの作成を可能とする。【選択図】図３
2007070779.tif 000002
【特許請求の範囲】
【請求項１】
生花に加工を施し、長い間花姿を保つプリザーブドフラワーローズの花びらをばらす
第１の工程と、ハサミを使って、がくの根元でカットする第２の工程と、がくを切って花芯だけにする第３の工程とばらした花びらの根元にグルーをつける第４の工程と、ばらした花びらを数枚、表情をつけながら、根元にグルーをつけて順次重ね合わせる第５の工程と、ワイヤーでフックを作り、フックと反対側のワイヤーを適当な長さに斜めにカットする第６の工程と、花芯の茎の部分を平らにカットする第７の工程と、前述のフックを上にして、斜めにカットしたワイヤーを花芯に通す第８の工程と、花芯のパーツを花の中心に挿し通す第９の工程と、ワイヤーにフローラルテープを巻き付け、茎を作る第１０の工程を有するプリザーブドフラワーを使ったポピーの作り方。
【請求項２】
生花に加工を施し、長い間花姿を保つプリザーブドフラワーローズの花びらをばらす
第１の工程と、ハサミを使って、がくの根元でカットする第２の工程と、がくを切って花芯だけにする第３の工程と、ワイヤーでフックを作り、フックと反対側のワイヤーを適当な長さに斜めにカットする第４の工程と、花芯の茎の部分を平らにカットする第５の工程と、前述のフックを上にして、斜めにカットしたワイヤーを花芯に通す第６の工程と、ばらした花びらの根元にグルーをつける第７の工程と、ばらした花びらを数枚、表情をつけながら、根元にグルーをつけて順次重ね合わせる第８の工程と、花芯のパーツを花の中心に挿し通す第９の工程と、ワイヤーにフローラルテープを巻き付け、茎を作る第１０の工程を有するプリザーブドフラワーを使ったポピーの作り方。
【発明の詳細な説明】
【技術分野】
【０００１】本発明は、生花に加工を施し長い間花姿を保つプリザーブドフラワーに関するものである。
【背景技術】
【０００２】現在、市場には生花に近いプリザーブドフラワーのポピーは提案されていない。
【発明が解決しようとする課題】
【０００３】フラワーデザインに使用できる花材としては、現在、生花に近いプリザーブドフラワーのポピーは提案されておらず、使用したくても使用できなかった。
【０００４】本発明は、プリザーブドフラワーのローズの花びらとワイヤーを使い茎を作ることよって、違う種類の花ポピーを作り、フラワーデザインに使うことを目的とするものである。
【課題を解決するための手段】
【０００５】上記目的を達成するための本発明は、プリザーブドフラワーのローズの花びらとワイヤーの組合せにより、違う種類の花ポピーを作るものであり、請求項の文章、
（１）生花に加工を施し、長い間花姿を保つプリザーブドフラワーローズの花びらをばらす第１の工程と、ハサミを使って、がくの根元でカットする第２の工程と、がくを切って花芯だけにする第３の工程とばらした花びらの根元にグルーをつける第４の工程と、ばらした花びらを数枚、表情をつけながら、根元にグルーをつけて順次重ね合わせる第５の工程と、ワイヤーでフックを作り、フックと反対側のワイヤーを適当な長さに斜めにカットする第６の工程と、花芯の茎の部分を平らにカットする第７の工程と、前述のフックを上にして、斜めにカットしたワイヤーを花芯に通す第８の工程と、花芯のパーツを花の中心に挿し通す第９の工程と、ワイヤーにフローラルテープを巻き付け、茎を作る第１０の工程を有するものであり、
（２）生花に加工を施し、長い間花姿を保つプリザーブドフラワーローズの花びらをばらす第１の工程と、ハサミを使って、がくの根元でカットする第２の工程と、がくを切って花芯だけにする第３の工程と、ワイヤーでフックを作り、フックと反対側のワイヤーを適当な長さに斜めにカットする第４の工程と、花芯の茎の部分を平らにカットする第５の工程と、前述のフックを上にして、斜めにカットしたワイヤーを花芯に通す第６の工程と、ばらした花びらの根元にグルーをつける第７の工程と、ばらした花びらを数枚、表情をつけながら、根元にグルーをつけて順次重ね合わせる第８の工程と、花芯のパーツを花の中心に挿し通す第９の工程と、ワイヤーにフローラルテープを巻工程を有するものよりなるものである。
【発明の効果】
【０００６】（１）市場に販売されていないプリザーブドフラワーのスイートピーを提供することができる。
（２）フラワーデザインの花材として利用することができる。
（３）手法、技法によるデザインの提案を可能とする。
前記（１）（２）（３）により、誰でもが短時間のうち制作することができる
【発明を実施するための最良の形態】
【０００７】  以下、本発明の実施の形態である工程を図に基づいて説明する。
【実施例１】（１）プリザーブドフラワーのローズのがくを前後左右に折り曲げてはずし、花びらをばらす。
（２）ハサミを使って、がくの根元でカットする。
（３）がくを切って、花芯２だけにする。
（４）（１）でばらした花びら１を数枚、表情をつけながら、根元にグルーをつけて順次重ね合わせる。
（５）ワイヤー３でフックを作り、フックと反対側のワイヤーを適当な長さに斜めにカットする。
（６）花芯２の茎の部分を平らにカットする。
（７）フックを上にして、斜めにカットしたワイヤー３を花芯に通す。
（８）ワイヤー３を通した花芯２を花順次重ね合わせた花びら１の中心に挿し通す。
（９）ワイヤー３にフローラルテー４を巻き付け、茎を作る。
【実施例２】（１）プリザーブドフラワーのローズのがくを前後左右に折り曲げてはずし、花びらをばらす。
（２）ハサミを使って、がくの根元でカットする。
（３）がくを切って、花芯２だけにする。
（４）ワイヤー３でフックを作り、フックと反対側のワイヤーを適当な長さに斜めにカットする。
（５）（１）でばらした花びら１を数枚、表情をつけながら、根元にグルーをつけて順次重ね合わせる。
（６）花芯２の茎の部分を平らにカットする。
（７）フックを上にして、斜めにカットしたワイヤーを花芯に通す。
（８）ワイヤー３を通した花芯２を花順次重ね合わせた花びら１の中心に挿し通す。
（９）ワイヤー３にフローラルテー４を巻き付け、茎を作る。
【図面の簡単な説明】
【図１】実施例１、２において、花びらを順次重ね合わせた状態を示す説明図である。
【図２】実施例１、２において、花芯にワイヤーと通した状態を示す説明である。
【図３】実施例１、２において、花芯と花びらをあわせた状態を説明図である。
【図符号の説明】
１  花びら
２  花芯
３  ワイヤー
４  フローラルテープ
【図１】
2007070779.tif 000003
【図２】
2007070779.tif 000004
【図３】
2007070779.tif 000005
(57)【要約】【課題】  フラワーデザインに使用する花材として、プリザーブドフラワーの芍薬は販売されておらず、プリザーブドフラワーの芍薬が求められている。【解決手段】  プリザーブドフラワーのトルコキキョウとワイヤーの組合せにより、違う種類の花芍薬の作成を可能とする。【選択図】図２
2007070775.tif 000002
【特許請求の範囲】
【請求項１】
生花に加工を施し、長い間花姿を保つプリザーブドフラワーのトルコキキョウを使い、プリザーブドフラワーの一輪のトルコキキョウの茎の部分に、クロス（十字）にワイヤーを通す第１の工程と５輪のトルコキキョウは、押し花のように横に平らに押さえ、ワイヤーを使いソーイング（波縫い）をする第２の工程と、クロスにワイヤーをかけたトルコキキョウの位置を中心にしながら、周りにソーングしたトルコキキョウを添えていく第３の工程と、それらをワイヤーで１つにまとめる第４の工程と、グリーンのフローラルテープを巻き付け、茎を作る第５の工程を有するプリザーブドフラワーを使った芍薬の作り方。
【請求項２】
生花に加工を施し、長い間花姿を保つプリザーブドフラワーのトルコキキョウを使い、５輪のトルコキキョウは、押し花のように横に平らに押さえ、ワイヤーを使いソーイング（波縫い）をする第１の工程と、プリザーブドフラワーの一輪のトルコキキョウの茎の部分に、クロス（十字）にワイヤーを通す第２の工程と、クロスにワイヤーをかけたトルコキキョウの位置を中心にしながら、周りにソーングしたトルコキキョウを添えていく第３の工程と、それらをワイヤーで１つにまとめる第４の工程と、グリーンのフローラルテープを巻き付け、茎を作る第５の工程を有するプリザーブドフラワーを使った芍薬の作り方。
【発明の詳細な説明】
【技術分野】
【０００１】  本発明は、生花に加工を施し長い間花姿を保つプリザーブドフラワーに関するものである。
【背景技術】
【０００２】  現在、市場にはプリザーブドフラワーの芍薬は提案されていない。
【発明が解決しようとする課題】
【０００３】  フラワーデザインに使用できる花材としては、現在、プリザーブドフラワーの芍薬は提案されておらず、使用したくても使用できなかった。
【０００４】  本発明は、プリザーブドフラワーのトルコキキョウとワイヤーを使い茎を作ることよって、違う種類の花芍薬を作り、フラワーデザインに使うことを目的とするものである。
【課題を解決するための手段】
【０００５】  上記目的を達成するための本発明は、プリザーブドフラワーのトルコキキョウとワイヤーの組合せにより、違う種類の花芍薬を作るものであり、請求項の文章、
（１）生花に加工を施し、長い間花姿を保つプリザーブドフラワーのトルコキキョウを使い、プリザーブドフラワーの一輪のトルコキキョウの茎の部分に、クロス（十字）にワイヤーを通す第１の工程と５輪のトルコキキョウは、押し花のように横に平らに押さえ、ワイヤーを使いソーイング（波縫い）をする第２の工程と、クロスにワイヤーをかけたトルコキキョウの位置を中心にしながら、周りにソーングしたトルコキキョウを添えていく第３の工程と、それらをワイヤーで１つにまとめる第４の工程と、グリーンのフローラルテープを巻き付け、茎を作る第５の工程を有するものであり、
（２）生花に加工を施し、長い間花姿を保つプリザーブドフラワーのトルコキキョウを使い、５輪のトルコキキョウは、押し花のように横に平らに押さえ、ワイヤーを使いソーイング（波縫い）をする第１の工程と、プリザーブドフラワーの一輪のトルコキキョウの茎の部分に、クロス（十字）にワイヤーを通す第２の工程と、クロスにワイヤーをかけたトルコキキョウの位置を中心にしながら、周りにソーングしたトルコキキョウを添えていく第３の工程と、それらをワイヤーで１つにまとめる第４の工程と、グリーンのフローラルテープを巻き付け、茎を作る第５の工程を有するものよりなるものである。
【発明の効果】
【０００６】（１）市場に販売されていないプリザーブドフラワーの芍薬を提供することができる。
（２）フラワーデザインの花材として利用することができる。
（３）手法、技法によるデザインの提案を可能とする。
前記（１）（２）（３）により、誰でもが短時間で制作することができる。
【発明を実施するための最良の形態】
【０００７】  本発明の実施の形態である工程を図に基づいて説明する。
【実施例１】（１）プリザーブドフラワーの一輪のトルコキキョウ１の茎２の部分に、クロス（十字）にワイヤー３を通す。
（２）５輪のトルコキキョウ１に対して、押し花のように横に平らに押さえ、ワイヤー３を使いソーイング（波縫い）をする。
（３）（１）でワイヤーをかけたトルコキキョウの位置を中心にしながら、周りに（２）でソーングしたトルコキキョウを添えていく。
（４）（３）をワイヤーで１つにまとめる。
（５）グリーンのフローラルテープを巻き付け、茎を作る。
【実施例２】（１）５輪のトルコキキョウ１に対して、押し花のように横に平らに押さえ、ワイヤー３を使いソーイング（波縫い）をする。
（２）プリザーブドフラワーの一輪のトルコキキョウ１の茎２の部分に、クロス（十字）にワイヤー３を通す。
（３）（１）でワイヤーをかけたトルコキキョウの位置を中心にしながら、周りに（２）でソーングしたトルコキキョウを添えていく。
（４）（３）をワイヤーで１つにまとめる。
（５）グリーンのフローラルテープを巻き付け、茎を作る。
【図面の簡単な説明】
【図１】実施例１、２において、トルコキキョウにワイヤーをクロス（十字）に通した状態を示す説明図である。
【図２】実施例１、２において、トルコキキョウにワイヤーをソーイング（波縫い）した状態を示す説明図である。
【図符号の説明】
１  トルコキキョウ
２  茎
３  ワイヤー
【図１】
2007070775.tif 000003
【図２】
2007070775.tif 000004
(57)【要約】【課題】現在、市販されているワックスリムーバーは、石油系溶剤を使用しているものが多く、石油特有の臭いを消すために香料を使用しているものがほとんどである。個人差もあるがワックス除去作業中に、この香料の臭いに不快感を表す使用者が多い。作業時の雰囲気の改善、作業効率の向上が求められている。【解決手段】市販されているサーフボード用ワックスリムーバーを活性炭ろ過する事でアロマティック成分を減らし、限りなく無臭に近くすることを特徴としたサーフボード用ワックスリムーバー（ノンアロマティックタイプ）を作成出来た。【特許請求の範囲】
【請求項１】
芳香族含有量が０．１ＶＯＬ％以下であることを特徴としたサーフボード用ワックスリムーバー
【請求項２】
市販されているサーフボード用ワックスリムーバーを活性炭ろ過する事でアロマティック成分を減らし、限りなく無臭に近くすることを特徴としたサーフボード用ワックスリムーバー（ノンアロマティックタイプ）を製造する方法
【発明の詳細な説明】
【技術分野】
【０００１】  本発明は、サーフボード及びボディーボードに塗布する滑り止めワックスを除去するために用いるワックスリムーバーに関する。
【背景技術】
【０００２】  サーフィン及びボディーボードをする際に足とサーフボードの接触面をワックスと称する滑り止めを一般的に用いる。また、ワックスは海水の温度によって使い分けをするのが一般的である。【０００３】  サーフボード及びボディーボードの上に塗布して使用しているワックスは、海に入る都度上塗りをして使用するが、劣化すると滑り止めとしての効果が少なくなっていく。また、季節毎に海水の温度も変化するため使用する海水の温度によって塗替えが必要となる。（非特許文献１）【０００４】  塗替える際は、プラスチック製のヘラ等で塗布されているワックスを剥がし、その後ワックスリムーバーを塗布して布等で拭き取る事によって最終的に除去を完了する。【０００５】  現在、市販されているワックスリムーバーは、石油系溶剤を使用しているものが多く石油特有の臭いを消すために香料を使用しているものがほとんどである。個人差もあるが、ワックス除去作業中に、この香料の臭いに不快感を表す使用者が多い。（非特許文献２）【０００６】  市販されているワックスリムーバーの芳香族含有量を表１にて説明する。
従来タイプ溶剤（含むアロマタイプ）は芳香族含有量７〜１８ＶＯＬ％であり、そのため非常に臭いが強い。
【非特許文献１】「エイ出版社  Ｓｕｒｆ  Ｓｔｙｌｅ２００５，ＮＯＨＥＡ，Ｐ４０５」
【非特許文献２】「（株）マリン企画  サーファーズ・メガ・カタログ２００４，ハンディーパワークラフトマン，Ｐ３２０」
【発明の開示】
【発明が解決しようとする課題】
【０００７】  従来のワックスリムーバーの様に香料を使用せず、作業中に臭いの不快感が無く劣化したワックスの溶解度が高い揮発性良いワックスリムーバーを提供する。
【課題を解決するための手段】
【０００８】  （１）本発明のサーフボード用ワックスリムーバーは、芳香族含有量が０．１ＶＯＬ％以下であることを特徴とする。
（２）本発明のサーフボード用ワックスリムーバーの製造方法は、活性炭ろ過する事でアロマティック成分を減らし、限りなく無臭に近くすることを特徴とする。
【発明の効果】
【０００９】  本発明のサーフボード用ワックスリムーバーを用いる事が出来るので作業時の雰囲気の改善、作業効率の向上が出来る。
【発明を実施するための最良の形態】
【００１０】  製造方法としては、充填塔方式で連続流通を用い、活性炭に株式会社クラレケミカル製の石炭系活性炭を使用した。【００１２】  活性炭１ｌ，石油系炭化水素の液体を１００ｌ用意し、Ｌ／Ｄ＝２，１０ｌ／ｈでろ過後、官能検査を３人で行ったが臭気はほとんど感じられなかった。ガスクロマトグラフィーにて分析した結果を表１に示す。【表１】
2007070589.tif 000002
【００１３】  操作条件を変更し、０．１ＶＯＬ％のサーフボード用ワックスリムーバーを作り、官能検査を行った。若干の臭気があったが、不快感は無かった。【００１４】製造方法に記載した通り、芳香族含有量が０．１ＶＯＬ％以下にならなければ、本発明のサーフボード用ワックスリムーバーとは云い難い。【００１５】  本発明のサーフボード用ワックスリムーバーのサンプルを作り、一般使用者とサーフィン用品販売業者に有臭か無臭かのアンケート調査を行った。
（１）一般ユーザー（日本サーフィン連盟所属チーム  ダフニー）７３名
有臭と感じる  ０名  無臭と感じる  ７３名
（２）サーフィン用品販売業者（株式会社マニューバーライン）４０名
有臭と感じる  ０名  無臭と感じる  ４０名
結果の通り、本発明のサーフボード用ワックスリムーバーは、限りなく無臭に近いことが証明された。
(57)【要約】【課題】  脈理の存在を目立たなくして商品価値を向上させることができ、また、たとえ光学測定用として使用する場合においても、光の屈折率の変化を抑制して厳密な光学測定が可能となる薄板ガラスの製造方法。【解決手段】  溶融ガラスを柱状に引き伸ばして柱状ガラスロッドＧ２を作製し、その柱状ガラスロッドＧ２が固化した後、柱状ガラスロッドＧ２をその軸心Ｌにほぼ直交する方向に薄い厚みで切断して半製品薄板ガラスＧ３を作製し、その半製品薄板ガラスＧ３の表面を研磨して薄板ガラスＧを製造する薄板ガラスの製造方法。【選択図】        図２
2007070135.tif 000002
【特許請求の範囲】
【請求項１】
溶融ガラスを柱状に引き伸ばして柱状ガラスロッドを作製し、その柱状ガラスロッドが固化した後、柱状ガラスロッドをその軸心にほぼ直交する方向に薄い厚みで切断して半製品薄板ガラスを作製し、その半製品薄板ガラスの表面を研磨して薄板ガラスを製造する薄板ガラスの製造方法。
【請求項２】
前記薄板ガラスが、光学測定用の薄板ガラスである請求項１に記載の薄板ガラスの製造方法。
【発明の詳細な説明】
【技術分野】
【０００１】
本発明は、薄板ガラスの製造方法に関し、特に生化学用容器におけるウェルの底板やプレパラートのような光学測定用に供される薄板ガラスの製造に適した方法に関する。
【背景技術】
【０００２】
このような薄板ガラスは、従来、ガラスの製造においてきわめて一般的なフロート法により製造されている（きわめて一般的な製造方法であるため、フロート法に言及した適切な特許文献は見当たらない）。
【発明の開示】
【発明が解決しようとする課題】
【０００３】
したがって、従来の薄板ガラスでは、当業界でよく知られているように、「脈理」と称される縞模様が薄板ガラスの面にほぼ沿って残存し、それが薄板ガラスの商品価値を低下させる一因となっていた。
さらに、光学測定用に供される薄板ガラスにあっては、ガラスの面にほぼ沿って残存する脈理により光の屈折率が微妙に変化する部分が現れるため、その薄板ガラスを非常に厳密な光学測定用に使用するには問題があり、この点に改良の余地があった。
【０００４】
本発明は、このような従来の問題点に着目したもので、その目的は、脈理の存在を目立たなくして商品価値を向上させることができ、また、たとえ光学測定用として使用する場合においても、光の屈折率の変化を抑制して厳密な光学測定が可能となる薄板ガラスの製造方法を提供することにある。
【課題を解決するための手段】
【０００５】
本発明の第１の特徴構成は、溶融ガラスを柱状に引き伸ばして柱状ガラスロッドを作製し、その柱状ガラスロッドが固化した後、柱状ガラスロッドをその軸心にほぼ直交する方向に薄い厚みで切断して半製品薄板ガラスを作製し、その半製品薄板ガラスの表面を研磨して薄板ガラスを製造するところにある。
【０００６】
本発明の第１の特徴構成によれば、まず、溶融ガラスを柱状に引き伸ばして柱状ガラスロッドを作製するので、脈理は存在していたとしても柱状ガラスロッドの軸心に沿って生じることになる。
そして、その柱状ガラスロッドが固化した後、柱状ガラスロッドをその軸心にほぼ直交する方向に薄い厚みで切断して半製品薄板ガラスを作製し、その半製品薄板ガラスの表面を研磨して薄板ガラスを製造するので、最終製品である薄板ガラスにおいては、脈理が存在していたとしても薄板ガラスの厚み方向に沿って残存することになる。
したがって、脈理がガラスの面にほぼ沿って縞模様に残存していた従来の薄板ガラスと比較して、脈理の存在はほとんど目立たず、商品価値の高い薄板ガラスを製造することができるとともに、脈理がガラスの厚み方向に沿っているため、光の屈折率の変化も抑制されて光学測定用に適した薄板ガラスを製造することができる。
【０００７】
本発明の第２の特徴構成は、前記薄板ガラスが、光学測定用の薄板ガラスであるところにある。
【０００８】
本発明の第２の特徴構成によれば、前記薄板ガラスが、光学測定用の薄板ガラスであるから、上述したように、光の屈折率の変化が抑制されることにより、この製造方法により製造した薄板ガラスを使用してきわめて厳密な光学測定が可能となる。
【発明を実施するための最良の形態】
【０００９】
本発明による薄板ガラスの製造方法につき、実施の形態を図面に基づいて説明する。
この製造方法の対象となる薄板ガラスＧは、例えば、図３および図４に示すように、通常「マイクロプレート」と称される生化学用容器５において、そのウェル６の底板として使用されるもので、通常、０．１ｍｍ〜１．０ｍｍ、好ましくは、０．１ｍｍ〜０．２ｍｍ程度の厚みを有している。
このような生化学用容器５は、ウェル６内で細胞を培養した後、底板を通してその細胞を光学的に測定するのに使用され、したがって、底板である薄板ガラスＧは光学測定用の薄板ガラスとして供される。
【００１０】
この薄板ガラスＧを製造するには、例えば、図１に示すように、連続式のガラス溶融装置１を使用し、そのガラス溶融装置１の溶融室２においてガラスの原料を溶融し、その溶融ガラスＧ１を清澄室３の底部に設けられた断面円形の成形用孔４から引き出しながら伸ばして、図２に示すように、円柱状のガラスロッドＧ２を作製する。
このように柱状に引き伸ばして作製された円柱状ガラスロッドＧ２においては、脈理が存在する場合、脈理は円柱状ガラスロッドＧ２の軸心Ｌに沿って発生することになる。
【００１１】
つぎに、その円柱状ガラスロッドＧ２が固化した後、ダイヤモンドカッターなどの切断手段（図示せず）によって、円柱状ガラスロッドＧ２をその軸心Ｌにほぼ直交する方向に薄い厚みで切断して半製品薄板ガラスＧ３を作製する。
その後、半製品薄板ガラスＧ３の表面を図外の研磨手段により研磨して、最終製品である薄板ガラスＧを製造するのであり、最終製品である薄板ガラスＧにおいては、その厚み方向に沿って脈理が残存することになる。
そして、このようにして製造された薄板ガラスＧは、上述したように生化学容器５におけるウェル６の底板として使用される。
【００１２】
〔別実施形態〕
先の実施形態では、溶融ガラスＧ１を引き伸ばして円柱状のガラスロッドＧ２を作製した例を示したが、最終製品である薄板ガラスＧの使用目的などに応じて、例えば、正方形、長方形、楕円形など、各種断面形状の柱状ガラスロッドを作製することができる。
そして、その最終製品である薄板ガラスＧについては、特に生化学用容器５におけるウェル６の底板に限ることなく、例えば、プレパラートをはじめとして、各種の光学測定用の薄板ガラスとして使用することができる。
【図面の簡単な説明】
【００１３】
【図１】薄板ガラスの製造工程を示す説明図
【図２】薄板ガラスの製造工程を示す説明図
【図３】薄板ガラスを使用した生化学用容器の斜視図
【図４】薄板ガラスの使用状態を示す説明図
【符号の説明】
【００１４】
Ｇ      薄板ガラス
Ｇ１    溶融ガラス
Ｇ２    柱状ガラスロッド
Ｇ３    半製品薄板ガラス
Ｌ      柱状ガラスロッドの軸心
【図１】
2007070135.tif 000003
【図２】
2007070135.tif 000004
【図３】
2007070135.tif 000005
【図４】
2007070135.tif 000006
(57)【要約】【課題】  従来、部屋で使用するゴミ箱は、部屋の角などに置いて使用するが、こたつに居ながら、出入りすることなく、ごみを投棄できるごみ入れを提供する。【解決手段】  ごみ袋と、このごみ袋をこたつの天板とこたつ掛け布団の間に挟んで固定できるように形成された固定手段とからなるこたつ専用ごみ袋【選択図】    図１
2007070109.tif 000002
【特許請求の範囲】
【請求項１】
ごみ袋と、このごみ袋をこたつの天板とこたつ掛け布団の間に挟んで固定できるように形成された固定手段とからなるこたつ専用ごみ袋
【発明の詳細な説明】
【技術分野】
【０００１】本発明は、一般家庭で使用するこたつに取り付けて使用するごみ袋に関するものである。
【背景技術】
【０００２】従来、一般家庭の部屋で使用するゴミ箱は、部屋の角などに置いており、ごみを捨てる際は、そのゴミ箱まで持っていって投棄する。
【発明の開示】
【発明が解決しようとする課題】
【０００３】（イ）従来、一般家庭の部屋で使用するゴミ箱は、部屋の角などに置いて使用するが、冬にこたつに入っていてごみを捨てる際、こたつから出て部屋の角のゴミ箱に投棄しなくてはならない。
（ロ）冬の間、ゴミ箱をこたつの近くや身の回りに置いて使用すると、こたつに出入りするときにゴミ箱にあたってゴミ箱が転倒したりして、こたつの出入りの障害になる。
本発明は、これらの問題点を解決するためになされたものである。
【課題を解決するための手段】
【０００４】ごみを受け入れる布袋の上部の折り返し部分にワイヤーを通し、その先を左右に湾曲にさせ、両辺の上下を波状にして、ワイヤーの先を突き合わせ、チューブで留めたもの。
湾曲にして波状に形成した部分を、こたつの天板とこたつ掛け布団の間に挟んで固定し、ごみを受け入れる布袋の内側に、既存のポリ袋を入れ、外側に折り曲げてごみ袋として使用するもの。
【発明の効果】
【０００５】本発明の使用により、こたつから出入りしなくても、こたつに座った状態で、ティシュ、お菓子の包み紙、みかんの皮などのごみをごみ袋に簡単に投棄することができる。【０００６】ごみを受け入れる布袋の内側に既存のポリ袋を入れて使用することにより、布袋が汚れず衛生的に使用することができ、ごみがいっぱいになったとき、ポリ袋ごと取出し、処理できるので簡便である。【０００７】本発明をこたつに取り付けた以外の側で、こたつを出入りしても、ごみ入れが転倒したり、行動の障害になるようなことがない。【０００８】こたつに挟み込む固定部のワイヤーの波状の部分が、こたつ掛け布団の厚みにくい込み、天板の重みで固定されるので、多少の衝撃では抜けにくい。【０００９】ごみを受け入れる布袋の素材、色、模様など様々なものを使用して作成することにより、ごみ入れとしての概観を向上させる。
【発明を実施するための最良の形態】
【００１０】以下、本発明の実施の形態について説明する。
（イ）ごみを受け入れる布袋（１）の上部の折り返し部（３）にワイヤー（２）を通し、左右対称になるように湾曲させ、開口部（１０）を形成する。
（ロ）布袋に通したワイヤー（２）の突出部を左右に湾曲させ、ワイヤー（２）の両端の先を突き合わせ、チューブ（５）に通し、固定部（１１）を形成する。
（ハ）図２、図４に示すように、固定部（１１）に波状の湾曲部（４）を形成する。
本発明は以上の構成によりなっている。【００１１】本発明を使用するときは、固定部（１１）を、こたつの天板（６）とこたつ掛け布団（７）の間に挟んで固定させ、ごみを受け入れる布袋（１）の内側に既存のポリ袋（８）を入れ、外側に折り曲げてごみ袋として使用する。【００１２】本発明は固定部を、こたつの天板とこたつ掛け布団の間に挟んで固定するので、天板を拭いたり、天板の上に物を置いたりするときに、本発明が天板上で障害になることがない。【００１３】本発明の固定部は、波状の湾曲部を形成しているので、こたつの天板とこたつ掛け布団の間に挟んで固定したときに、こたつ掛け布団の厚みに波状の湾曲部がくい込み、天板の重みで固定されるので、多少の衝撃では抜けにくい。【００１４】本発明を脱着するときは、脱着する位置の近くの天板の角を４〜５ｃｍ浮かせるだけで、簡単に脱着できる。【００１５】ごみを受け入れる袋を、布を使用することにより、こたつ掛け布団に形状がフイットして、さほど違和感がない。
【図面の簡単な説明】
【００１６】
【図１】  本発明の斜視図
【図２】  本発明の側面図
【図３】  本発明の上部図
【図４】  本発明の使用の状態を示す図
【符号の説明】
【００１７】    １    布袋
２    ワイヤー
３    折り返し部
４    湾曲部
５    チューブ
６    こたつの天板
７    こたつ掛け布団
８    既存のポリ袋
９    こたつのやぐら
１０    開口部
１１    固定部
【図１】
2007070109.tif 000003
【図２】
2007070109.tif 000004
【図３】
2007070109.tif 000005
【図４】
2007070109.tif 000006